(57)【要約】【課題】本発明の課題は、災害時に無料提供する商品を収納商品に応じて設定することができる自動販売機を提供することである。【解決手段】商用電源からの給電の他に、無停電電源装置を備え、常時は商用電源側からの給電により商品の搬出を行い、停電時は無停電電源装置からの給電により商品の搬出を行う自動販売機において、商用電源と無停電電源装置との切り替えを行う操作手段と、該操作手段の操作により無停電電源装置側に切り替えられたことを検知して無料払出モードに切り替える切替手段と、前記無料払出モード時に収納商品の無料払出の可否を設定する設定手段とを備えたことを特徴とする。【選択図】図１
2008015657.tif 000002
【特許請求の範囲】
【請求項１】
商用電源からの給電の他に、無停電電源装置を備え、常時は商用電源側からの給電により商品の搬出を行い、停電時は無停電電源装置からの給電により商品の搬出を行う自動販売機において、商用電源と無停電電源装置との切り替えを行う操作手段と、該操作手段の操作により無停電電源装置側に切り替えられたことを検知して無料払出モードに切り替える切替手段と、前記無料払出モード時に収納商品の無料払出の可否を設定する設定手段とを備えたことを特徴とする自動販売機。
【請求項２】
請求項１記載の自動販売機において、前記無料払出モード時に設定手段により無料払出が設定されている商品のみ商品選択ボタンの操作に基づいて払い出す制御手段を備えたことを特徴とする自動販売機
【請求項３】
請求項１または２記載の自動販売機において、設定手段は、要冷却商品の温度が設定した設定温度より上昇した場合に販売不可とする商品について設定するヘルスコード設定装置からなることを特徴とする自動販売機。
【請求項４】
請求項１または２記載の自動販売機において、設定手段は、電源切替時に庫内温度が設定した設定温度より上昇した場合に販売不可とする設定する設定手段であることを特徴とする自動販売機。
【請求項５】
請求項１ないし４のいずれかに記載の自動販売機において、無料販売モードとして単品販売モードあるいは連続販売モードとに切り替えを商品選択ボタンの操作時間により切り替えることを特徴とする自動販売機。
【発明の詳細な説明】
【技術分野】
【０００１】
本発明は、大規模地震などの災害で商用電源が停電した際に、商品を提供できる自動販売機に関する。
【背景技術】
【０００２】
従来の災害対策用の自動販売機の販売方式としては、商用電源が停電などにより通常販売が行えない場合に、バッテリを搭載しておき、自動販売機内の商品をバッテリにより搬出可能とし、災害時に無料にて自動販売機内の商品を提供できる自動販売機が知られている（例えば、特許文献１）。
【特許文献１】特開２０００−１３２７３７号公報
【発明の開示】
【発明が解決しようとする課題】
【０００３】
ところで、上記販売方式では、災害時に商用電源が停電した場合、バッテリを使用して無条件に自動販売機内の商品を無料で払い出すようになっており、また、バッテリの容量を考慮して、商品の払出しに直接関係がない機能である冷却装置、照明装置への給電は停止し、商品選択ならびに商品搬出装置のみに限定して給電を行うようにしている。
しかしながら、自動販売機には種々の商品が収納されており、災害時にバッテリによる給電する機能を限定している場合において、常温でも保存可能な商品は無条件に払い出してもよいが、例えば、乳製品などの保存温度、消費期限のある商品についても無条件に払出してしまうと衛生上問題であった。
そこで、本発明は、上記課題に鑑み、災害時に無料提供する商品を収納商品に応じて設定することができる自動販売機を提供することを目的とする。
【課題を解決するための手段】
【０００４】
上記目的を達成するために、本発明は、商用電源からの給電の他に、無停電電源装置を備え、常時は商用電源側からの給電により商品の搬出を行い、停電時は無停電電源装置からの給電により商品の搬出を行う自動販売機において、商用電源と無停電電源装置との切り替えを行う操作手段と、該操作手段の操作により無停電電源装置側に切り替えられたことを検知して無料払出モードに切り替える切替手段と、前記無料払出モード時に収納商品の無料払出の可否を設定する設定手段とを備えたことを特徴とし、前記無料払出モード時に設定手段により無料払出が設定されている商品のみ商品選択ボタンの操作に基づいて払い出すものである。
また、設定手段は、要冷却商品の温度が設定した設定温度より上昇した場合に販売不可とする商品について設定するヘルスコード設定装置、あるいは、電源切替時に庫内温度が設定した設定温度より上昇した場合に販売不可とする設定手段からなる。
【０００５】
さらに、無料販売モードとして単品販売モードあるいは連続販売モードとに切り替えを商品選択ボタンの操作時間により切り替えることを特徴とする。
【発明の効果】
【０００６】
本発明は、自動販売機において、停電により無停電電源装置により商品を無料で提供する場合、無料払出モード時に収納商品の無料払出の可否設定に基づき、払い出し可能な商品は払い出しを行い、払い出し否の商品は払い出しを行わないようにすることで、災害に飲料などの商品が必要な段階で、自動販売機内の商品を衛生上も安全な商品を無料で提供できるという効果が得られる。
【発明を実施するための最良の形態】
【０００７】
以下に、図１ないし図５を用いて本発明の実施の形態を説明する。
図４は、本発明の実施の対象となる自動販売機の概略正面図の一例を示すものであり、自動販売機１は、その本体キャビネット前面に外扉４０を備え、本体キャビネット内には複数（ｎ個）のコラムを備えている。このコラムは、複数種類の商品を個別に収納する一方、商品選択ボタンが押され、販売指令が与えられた場合に押された商品選択ボタン対応する商品の払い出しを行う。
外扉４０は、その表面側に商品見本展示室４１、販売可能ランプおよび売切ランプを内蔵する商品選択ボタン４２、紙幣あるいはカード挿通口４３、硬貨投入口４４、返却レバー４５、金額表示器４６、硬貨返却口４７、商品取出口４８が設けてある。
商品見本展示室４１は、外扉４０の上部に構成した透明の窓であり、内部に配列した商品見本４９を外部に視認させることが可能である。商品見本展示室を通じて視認される商品見本４９は、それぞれコラムに収納した商品を現し、商品選択ボタン２２と対応して設けられている。
【０００８】
次に、図１は、本発明の一実施の形態を示す構成ブロック図である。
１１は自動販売機全体を制御し、制御プログラムを記憶するメモリ１１ａおよび各種データを記憶するメモリ１１ｂを備える主制御部である。
この主制御部１１には、ヘルスコード設定、価格設定、ロケーション情報などの必要なデータを入力するリモコン１２、硬貨，紙幣，カードなどの受入、演算を行う貨幣処理部１３、冷熱装置１４ａを制御する冷熱制御部１４、商品を搬出する搬出装置１５ａを制御する搬出制御部１５、蛍光灯などの照明装置１６ａを制御する照明制御部１６、商用電源入力部１７、商用電源が使用できない時に使用する蓄電池としての無停電電源装置１８、商用電源入力部１７と無停電電源装置１８とを切り替えるため操作手段を含む電源切替部１９が接続されている。
【０００９】
また、商品選択ボタン４２、金額表示器４６もそれぞれ接続されており、商用電源入力部１７、無停電電源装置１８共に、ＡＣ１００Ｖの電源に接続されており、無停電電源装置１８は常時、充電状態にある。
なお、上記のように食品衛生法の規制に基づいたヘルスコードの有効無効を設定する機能を備えている。ここで、前述したようにヘルスコードとは、要冷却商品の温度が設定温度（１０℃以下）よりも上昇したことを検出した場合、販売不可とする商品に対して設定の有効無効を行う機能であり、この設定テーブルを利用して災害時の払出し商品を決定するものである。
また、電源切替部１９は、自動販売機１の扉を開放し、図示しない動作切替スイッチをオンすることで無停電電源装置１８側に切り替えるものである。
【００１０】
この構成において、まず、図３のフローチャートを用い、ヘルスコード設定について説明する。
このヘルスコード有効コラムの設定は、自動販売機の商品投入時に、コラム毎にヘルスコード有効コラムの設定を行うものであり、リモコン１２を使用して、ヘルスコード設定モードとし、（ステップＳ３１，Yes）、ヘルスコード有効に設定したいコラムの商品選択ボタン４２を押すと（ステップＳ３２）、ヘルスコード有効としてメモリ１ｂの所定領域に記憶され（ステップＳ３３）、ヘルスコード有効コラム設定が完了する。
次に、通常の販売モードについて、図５のフローチャートを用い、簡単に説明する。
通常の販売モードでは、自動販売機１は、商用電源入力部１７からの給電により稼動しており、販売待機状態において（ステップＳ５１）、硬貨投入口４４に所定金額の硬貨が投入されると（ステップＳ５２，Yes）、商品選択ボタン４２の販売可ランプが点灯し、商品選択ボタン４２が押されると（ステップＳ５３，Yes）、搬出制御部１５から押された商品選択ボタン４２に対応する搬出制御部１５を介して搬出装置１５ａに対して商品の搬出指令が出され、対応するコラムから商品が商品取出口４８へ搬出され（ステップＳ５４）、釣銭がある場合には硬貨返却口４７から釣銭が返却されて、商品の一販売が終了する。
【００１１】
なお、硬貨による例を示したが、紙幣あるいはカードにおいても、同様の販売形態となり、また、庫内温度が異常となった場合、ヘルスコード設定に基づき、対象となる商品を売り切れとして、該当する商品選択ボタン４２の売切ランプを点灯する。
次に、災害時の無料販売モードについて、図２のフローチャートを用い、説明する。
災害時の販売モードにおいては、まず、大規模地震などの災害によって停電となり、自動販売機１への商用電源入力部１７から断たれると（ステップＳ２１，Yes）、管理者が、自動販売機１の外扉を開け、電源切替部１９を無停電電源装置１８側に切り替え（ステップＳ２２，Yes）、災害販売モードとする。
この無停電電源装置１８からの給電は、商品搬出に必要な機能のみに限定して給電され、例えば、貨幣処理部１３および金額表示器４６への給電停止、および冷熱制御部１４、照明制御部１６を介して冷熱装置１４ａ、照明装置１６ａへの給電を停止して、商品搬出の最低条件の機能である商品選択ボタン４２と搬出装置１５ａとのみ給電するようにして消費電力を抑える。
【００１２】
ここで、無停電電源装置１８からの給電に切り替わったことにより、商品毎にヘルスコード設定有無を判断し、（ステップＳ２３）。ヘルスコード設定無の商品の場合（ステップＳ２３，Yes）、該当する商品選択ボタン４２の販売可能ランプが点灯する（ステップＳ２４）。一方、ヘルスコード設定有の商品の場合（ステップＳ２３，No）、該当する商品選択ボタン４２の販売可能ランプは消灯したままとする（ステップＳ２５）。このような状態で、自動販売機１の販売可能ランプが点灯している商品選択ボタン４２を押されると（ステップＳ２６,Yes）、次に、商品選択ボタン４２が連続して押されたかを判断する（ステップＳ２７）、商品選択ボタン４２が連続して押されていなければ（ステップＳ２７，No）、搬出制御部１５から押された商品選択ボタン４２に対応する搬出装置１５ａに対して商品の搬出指令が出され、対応するコラムから商品が商品取出口４８へ搬出され（ステップＳ２８）、商品の無料単品提供が行われる。
【００１３】
また、ステップＳ２７にて、商品選択ボタン４２が連続して押されたと判断すると（ステップＳ２７，Yes）、押された回数分、連続して商品が搬出される（ステップＳ２９）。
以上のように、商品払出し可能な商品のみ販売可能ランプを点灯し、それ以外の商品の販売可能ランプは点灯しないことにより、衛生上問題のある商品は、払出されることが無いので災害時であっても安全に商品を無料提供できる。
なお、消費電力削減のため、払出し不可商品については、販売可能ランプを点灯しないとしたが、利用者に判り易くするために、払出し不可商品の売切ランプを点灯するようにしても良い。
また、商品の払出し条件の設定として、ヘルスコード設定を用いたが、コラム毎に災害時の商品払出し設定、あるいは、電源切替時に庫内温度センサの温度を検出することで、設定温度との対比において無料商品の提供を決定してもよい。
【００１４】
さらに、ヘルスコード有効商品有りでも、庫内温度センサが設定温度以下の場合には、無料提供の対象としても良く、あるいは、商品の払出しに影響を与えない範囲で冷却装置は稼動するようにしても良い。
【図面の簡単な説明】
【００１５】
【図１】本発明の一実施の形態である制御装置を示す構成ブロック図
【図２】本発明における災害時販売動作を示すフローチャート図
【図３】本発明における設定処理を示すフローチャート図
【図４】本発明の一実施の形態である自動販売機の概略正面図
【図５】本発明における通常販売動作を示すフローチャート図
【符号の説明】
【００１６】
１          自動販売機
２２        商品選択ボタン
１１        主制御部
１２        リモコン
１７        商用電源入力部
１８        無停電電源装置
１９        電源切替部
【図１】
2008015657.tif 000003
【図２】
2008015657.tif 000004
【図３】
2008015657.tif 000005
【図４】
2008015657.tif 000006
【図５】
2008015657.tif 000007